(57)【要約】【課題】乾燥用空気の温度を早く上昇させることができるとともに、乾燥行程に移行する前の行程における消費電力量を抑制することができる洗濯乾燥機を提供する。【解決手段】洗濯乾燥機の制御部は、乾燥行程よりも前の行程において、圧縮機の作動と送風機の作動とが開始され、乾燥行程における回転数Ｒａよりも低い回転数Ｒｂで送風機の回転部が回転し、且つ、乾燥行程における回転数Ｒａよりも低い回転数Ｒｂで圧縮機の駆動部が回転する第１の制御と、圧縮機の作動と送風機の作動とが開始され且つ乾燥行程における回転数Ｒａよりも低い回転数Ｒｂで送風機の回転部が回転する第２の制御と、少なくとも圧縮機の作動が開始され且つ乾燥行程における回転数Ｒａよりも低い回転数Ｒｂで圧縮機の駆動部が回転する第３の制御とのうち、いずれか一つの制御を実行する。【選択図】図３
2014054374.tif 000002
【特許請求の範囲】
【請求項１】
駆動部を有する圧縮機を含むヒートポンプ装置と、
被乾燥対象物を収納し、前記ヒートポンプ装置において加熱された空気が供給される乾燥室と、
回転部を有し、前記ヒートポンプ装置において加熱された空気を前記乾燥室に送出する送風機と、
前記ヒートポンプ装置と前記送風機の前記回転部とを制御する制御部とを備え、
前記制御部は、被乾燥対象物を乾燥させる行程である乾燥行程よりも前の行程において、前記圧縮機の作動と前記送風機の作動とが開始され、前記乾燥行程における回転数よりも低い回転数で前記送風機の前記回転部が回転し、且つ、前記乾燥行程における回転数よりも低い回転数で前記圧縮機の前記駆動部が回転する第１の制御と、前記圧縮機の作動と前記送風機の作動とが開始され、且つ、前記乾燥行程における回転数よりも低い回転数で前記送風機の前記回転部が回転する第２の制御と、少なくとも前記圧縮機の作動が開始され、且つ、前記乾燥行程における回転数よりも低い回転数で前記圧縮機の前記駆動部が回転する第３の制御とのうちのいずれか一つの制御を実行する、洗濯乾燥機。
【請求項２】
前記洗濯乾燥機の行程は、前記乾燥行程よりも前の行程として、順に洗い行程と濯ぎ行程と脱水行程とを含み、
前記制御部は、前記第１の制御と前記第２の制御と前記第３の制御とのうちのいずれか一つの制御を前記洗い行程から開始する、請求項１に記載の洗濯乾燥機。
【請求項３】
前記洗濯乾燥機の行程は、前記乾燥行程よりも前の行程として、順に洗い行程と濯ぎ行程と脱水行程とを含み、
前記制御部は、前記第１の制御と前記第２の制御と前記第３の制御とのうちのいずれか一つの制御を前記濯ぎ行程から開始する、請求項１に記載の洗濯乾燥機。
【請求項４】
前記制御部は、前記乾燥行程よりも前の行程において前記圧縮機の作動を停止する場合には、前記圧縮機の作動を停止した時点から所定の時間が経過するときに、前記圧縮機の作動を再開する、請求項１から請求項３までのいずれか１項に記載の洗濯乾燥機。
【請求項５】
前記制御部は、前記乾燥室に収容される被乾燥対象物の容量を検知する容量検知部を有し、
前記制御部は、前記容量検知部によって検知される被乾燥対象物の容量に応じて、前記第１の制御における前記圧縮機の前記駆動部の回転数および前記送風機の前記回転部の回転数と、前記第２の制御における前記送風機の前記回転部の回転数と、前記第３の制御における前記圧縮機の前記駆動部の回転数とを変化させる、
請求項１から請求項４までのいずれか１項に記載の洗濯乾燥機。
【請求項６】
前記洗濯乾燥機には、複数の運転コースが設定され、
前記制御部は、前記運転コースに応じて、前記第１の制御における前記圧縮機の前記駆動部の回転数および前記送風機の前記回転部の回転数と、前記第２の制御における前記送風機の前記回転部の回転数と、前記第３の制御における前記圧縮機の前記駆動部の回転数とを変化させる、請求項１から請求項４までのいずれか１項に記載の洗濯乾燥機。
【発明の詳細な説明】
【技術分野】
【０００１】
本発明は、一般的には洗濯乾燥機に関し、特定的には熱源としてヒートポンプを用いた洗濯乾燥機に関する。
【背景技術】
【０００２】
熱源としてヒートポンプを用いる洗濯乾燥機として、例えば、特開２００６−２９６４４９号公報（以下、特許文献１という）に記載された洗濯乾燥機が従来から知られている。特許文献１に記載された洗濯乾燥機は、ヒートポンプ装置と、圧縮機と、送風機と、制御手段と、電流量検知手段とを備えている。
【０００３】
特許文献１に記載された洗濯乾燥機において、電流量検知手段は、交流電源から当該洗濯機に流入する電流量を検知する。制御手段は、乾燥工程よりも前の工程において、圧縮機と送風機とを作動させる。圧縮機と送風機とが作動する場合に、電流量検知手段によって検知される電流量における電流値が上限値に近づいたとき、例えば電流値が１４アンペアを超えたときに、制御手段が圧縮機の圧縮能力を低下させることによって圧縮機への入力電流を低下させる。これにより、当該洗濯乾燥機は、交流電源から流入する電流値を低下させることができる。
【０００４】
このように、乾燥工程よりも前の工程において、圧縮機と送風機とが作動されることにより、乾燥工程に移行した後に、被乾燥対象物を乾燥させる空気（乾燥用空気という）の温度を早く上昇させることができる。そのため、乾燥工程において、乾燥に掛かる時間を短縮することができる。
【先行技術文献】
【特許文献】
【０００５】
【特許文献１】特開２００６−２９６４４９号公報
【発明の概要】
【発明が解決しようとする課題】
【０００６】
しかしながら、当該洗濯乾燥機の制御手段は、乾燥工程に移行する前の工程において、圧縮機と送風機とが作動する場合に、電流量検知手段によって検知される電流量における電流値が上限値、例えば１５アンペアに近づく値にまで圧縮機の能力を向上させ、且つ、送風機を作動させている。そのため、乾燥工程に移行する前の工程において、当該洗濯乾燥機が消費する電力量が増大する。このように、特許文献１に記載された洗濯乾燥機は、乾燥工程における乾燥に掛かる時間を短縮することができるとしても、乾燥工程に移行する前の工程における当該洗濯乾燥機の消費電力量を抑制することについては考慮されていない。
【０００７】
そこで、本発明の目的は、乾燥用空気の温度を早く上昇させることができるとともに、乾燥行程に移行する前の行程における消費電力量を抑制することができる洗濯乾燥機を提供することである。
【課題を解決するための手段】
【０００８】
本発明に従った洗濯乾燥機は、ヒートポンプ装置と、乾燥室と、送風機と、制御部とを備えている。ヒートポンプ装置は圧縮機を含む。圧縮機は駆動部を有している。乾燥室は、被乾燥対象物を収納する。また、乾燥室には、ヒートポンプ装置において加熱された空気が供給される。送風機は、回転部を有している。送風機は、ヒートポンプ装置において加熱された空気を乾燥室に送出する。制御部は、ヒートポンプ装置と、送風機の回転部とを制御する。また、制御部は、第１の制御と第２の制御と第３の制御とのうち、いずれか一つの制御を実行する。
【０００９】
第１の制御は、被乾燥対象物を乾燥させる行程である乾燥行程よりも前の行程において、圧縮機の作動と送風機の作動とが開始され、乾燥行程における回転数よりも低い回転数で送風機の回転部が回転し、且つ、乾燥行程における回転数よりも低い回転数で圧縮機の駆動部が回転する制御である。
【００１０】
第２の制御は、乾燥行程よりも前の行程において、圧縮機の作動と送風機の作動とが開始され、且つ、乾燥行程における回転数よりも低い回転数で送風機の回転部が回転する制御である。
【００１１】
第３の制御は、乾燥行程よりも前の行程において、少なくとも圧縮機の作動が開始され、且つ、乾燥行程における回転数よりも低い回転数で圧縮機の駆動部が回転する制御である。
【００１２】
本発明に従った洗濯乾燥機においては、乾燥行程よりも前の行程において、圧縮機の作動と送風機の作動とを、または、少なくとも圧縮機の作動を開始することによって、冷媒を予め温めることができるため、ヒートポンプ装置と乾燥室との間等の空気の流路を乾燥行程よりも前の行程から予め温めることができる。そのため、乾燥行程の開始時点から、乾燥用空気の温度を早く上昇させることができる。また、乾燥行程よりも出力が抑えられた第１の制御と第２の制御と第３の制御とのうちのいずれか一つの制御が、乾燥行程よりも前の行程から実行されることによって、乾燥行程よりも前の行程における消費電力量を抑制することができる。
【００１３】
このように、本発明によれば、乾燥用空気の温度を早く上昇させることができるとともに、乾燥行程に移行する前の行程における消費電力量を抑制することができる洗濯乾燥機を提供することができる。
【００１４】
本発明に従った洗濯乾燥機において、洗濯乾燥機の行程は、好ましくは、乾燥行程よりも前の行程として、順に洗い行程と濯ぎ行程と脱水行程とを含む。制御部は、好ましくは、第１の制御と第２の制御と第３の制御とのうちのいずれか一つの制御を洗い行程から開始する。
【００１５】
この構成によれば、冷媒のプレヒートが洗い行程から開始される。このように、比較的長い時間を掛けて冷媒を温めることによって、ヒートポンプ装置と乾燥室との間等の空気の流路を十分に温めることができる。
【００１６】
本発明に従った洗濯乾燥機において、洗濯乾燥機の行程は、好ましくは、乾燥行程よりも前の行程として、順に洗い行程と濯ぎ行程と脱水行程とを含む。制御部は、第１の制御と第２の制御と第３の制御とのうちのいずれか一つの制御を濯ぎ行程から開始する。
【００１７】
この構成によれば、冷媒のプレヒートが濯ぎ行程から開始される。このように、乾燥行程に比較的近い行程から冷媒を温めることによって、消費電力量をより抑制することができる。また、ヒートポンプ装置および流路等に一旦加えられた熱量が、乾燥行程の開始時点までに放出されることを抑制することができる。そのため、消費電力量をさらに抑制することができる。
【００１８】
本発明に従った洗濯乾燥機において、制御部は、好ましくは、乾燥行程よりも前の行程において圧縮機の作動を停止する場合には、圧縮機の作動を停止した時点から所定の時間が経過するときに、圧縮機の作動を再開する。
【００１９】
この構成によれば、ヒートポンプ装置に使用される冷媒のうち、特に熱交換器における冷媒の圧力を平準化することができる。
【００２０】
本発明に従った洗濯乾燥機において、制御部は、好ましくは、乾燥室に収容される被乾燥対象物の容量を検知する容量検知部を有している。また、制御部は、好ましくは、容量検知部によって検知される被乾燥対象物の容量に応じて、第１の制御における圧縮機の駆動部の回転数および送風機の回転部の回転数と、第２の制御における送風機の回転部の回転数と、第３の制御における圧縮機の駆動部の回転数とを変化させる。
【００２１】
この構成によれば、被乾燥対象物の容量に応じて、ヒートポンプ装置および流路等を効率よく温めることができる。
【００２２】
本発明に従った洗濯乾燥機には、好ましくは、複数の運転コースが設定されている。制御部は、好ましくは、運転コースに応じて、第１の制御における圧縮機の駆動部の回転数および送風機の回転部の回転数と、第２の制御における送風機の回転部の回転数と、第３の制御における圧縮機の駆動部の回転数とを変化させる。
【００２３】
この構成によれば、運転コースに応じて、ヒートポンプ装置および流路等を効率よく温めることができる。
【発明の効果】
【００２４】
以上のように、本発明によれば、乾燥用空気の温度を早く上昇させることができるとともに、乾燥行程に移行する前の行程における消費電力量を抑制することができる洗濯乾燥機を提供することができる。
【図面の簡単な説明】
【００２５】
【図１】本発明に従った洗濯乾燥機の一例であるドラム式洗濯乾燥機の構成を示す概略図である。
【図２】本発明に従った洗濯乾燥機の制御部によって制御される各構成を示すブロック図である。
【図３】本発明に従った洗濯乾燥機によって行われる各行程における圧縮機の駆動部の回転数または送風機の回転部の回転数の例を示す図である。
【図４】乾燥行程よりも前の行程において圧縮機の作動が所定時間停止された状態について説明するための図であって、本発明に従った洗濯乾燥機によって行われる各行程における圧縮機の駆動部の回転数の例を示す図である。
【発明を実施するための形態】
【００２６】
以下、本発明の実施の形態を図面に基づいて説明する。
【００２７】
図１に、本発明に従った洗濯乾燥機の一例であるドラム式洗濯乾燥機１００を示す。図１に示すように、ドラム式洗濯乾燥機１００は、外箱１を備えている。外箱１は、ドラム式洗濯乾燥機１００の本体の外形を形成している。また、ドラム式洗濯乾燥機１００は、水槽２と回転ドラム３とモータ４とを備えている。モータ４の回転によって回転ドラム３が回転する。
【００２８】
回転ドラム３は、筒形状を有している。当該筒において、一端側（図１の左方側）は開口し、他端側（図１の右方側）は底壁を有した底部３ｂを形成する。回転ドラム３は、水平方向から傾斜した方向または水平方向に延びる回転軸線を中心に回転する。回転ドラム３の材質としては、ステンレス鋼板が一般的に用いられている。回転ドラム３の周壁３ａと底部３ｂには、給水、排水および通気のための複数の小孔（図示せず）が形成されている。周壁３ａは、回転ドラム３のうちの筒状の部分である。ドラム式洗濯乾燥機１００では、周壁３ａは略円筒形状を有している。また、周壁３ａは、回転軸線が延びる方向と平行な方向に延びている。
【００２９】
周壁３ａには、複数のバッフル（図示せず）が配置されている。バッフルは、回転軸線と略平行に延びている。また、バッフルは、回転軸線を中心とする円の半径方向の内方に向かって周壁３ａから突出している。
【００３０】
水槽２は、筒形状を有している。当該筒において、一端側は開口し、他端側は底壁を有している。回転ドラム３は、水槽２の内部の空間に収容されている。水槽２の下部には、カウンターウェイト（図示せず）が取り付けられている。なお、水槽２全体のバランスをとるため、複数個のカウンターウェイトが水槽２に取り付けられていてもよい。また、カウンターウェイトは、水槽２の上部に取り付けられていてもよい。回転ドラム３の開口部の縁の外側には、図示しない液体バランサが取り付けられている。
【００３１】
回転ドラム３は、被乾燥対象物としての洗濯物５を収納する。回転ドラム３の底部３ｂの外側面には、駆動軸４１が固定されている。モータ４は、水槽２の底部２ｂの外側面に取り付けられている。モータ４は、駆動軸４１に連結されている。
【００３２】
ドラム式洗濯乾燥機１００は、圧縮機７と凝縮器８と蒸発器１０と膨張弁９とを備えたヒートポンプ装置１３を熱源として利用する洗濯乾燥機である。圧縮機７は、冷媒を圧縮して冷媒の温度を上昇させる。凝縮器８は、圧縮機７によって圧縮された冷媒と空気とを熱交換させることによって空気を加熱させる。膨張弁９は、空気を加熱させた冷媒の圧力を減圧する。蒸発器１０は、減圧された冷媒と空気とを熱交換させることによって空気を冷却させる。また、ヒートポンプ装置１３は、冷媒配管１４を備えている。冷媒配管１４は、圧縮機７、凝縮器８、膨張弁９、および、蒸発器１０の順に冷媒が循環するように、圧縮機７と凝縮器８と膨張弁９と蒸発器１０とを連結する。
【００３３】
また、ドラム式洗濯乾燥機１００は、乾燥室３２と送風機１１とダクト１８と制御部９０とを備えている。回転ドラム３の内部の空間が乾燥室３２として機能する。また、乾燥室３２には、凝縮器８において加熱された空気が供給される。送風機１１は、加熱された空気を乾燥室３２に送出する。送風機１１は、回転部１１ａを有している。回転部１１ａは、一般的な電動式のモータを含む構成を有している。ダクト１８は、排気ダクト６と給気ダクト１２とを有している。給気ダクト１２は、凝縮器８において加熱された空気が乾燥室３２へ供給されるように凝縮器８と乾燥室３２との間に配置されている。排気ダクト６は、乾燥室３２において洗濯物５の乾燥に利用された空気が蒸発器１０に向かって流れるように乾燥室３２と蒸発器１０との間に配置されている。洗濯物５の乾燥に用いられる空気は、矢印が指す方向に沿ってダクト１８を流通することによって、乾燥室３２とヒートポンプ装置１３との間を循環する。
【００３４】
なお、凝縮器８と蒸発器１０とは、フィンチューブ型の熱交換器である。ヒートポンプ装置１３の内部においては、蒸発器１０と凝縮器８とをこの順序で乾燥用空気が流れる。
【００３５】
図２に示すように、制御部９０は、圧縮機制御部９１１と流量制御部９１２と送風機制御部９３と記憶部９４と判定部９５と検知部９６とタイマ９２とを含む。ドラム式洗濯乾燥機１００において、ドラム式洗濯乾燥機１００の運転に必要な制御についての判定は、判定部９５によって判定されている。また、記憶部９４には、ドラム式洗濯乾燥機１００の運転に必要なデータ等が格納されている。
【００３６】
記憶部９４は、ＲＯＭ（Read Only Memory）とＲＡＭ（Random Access Memory）とを含む構成を有している。ドラム式洗濯乾燥機１００（図１参照）の行程は、乾燥行程よりも前の行程として、順に洗い行程と濯ぎ行程と脱水行程とを含む。各行程における各部材の作動の情報は、例えばプログラムのチャートとして、記憶部９４に記録されている。ただし、各行程における各部材の作動の情報は、単にマップ状またはテーブル状に記憶部９４に記録されていてもよい。
【００３７】
圧縮機７は、圧縮機７を駆動させる駆動部１５を有している。駆動部１５は、圧縮機７の駆動源を構成している。なお、駆動部１５の好ましい例は、誘導モータである。駆動部１５としてのモータは、他の電動モータであってもよい。圧縮機７の駆動部１５と、送風機１１の回転部１１ａとは、それぞれ、図示しないスイッチを含む回路に接続されている。制御部９０が、回路に含まれるスイッチのオンとオフとを切り替えるようにスイッチを制御することにより、駆動部１５の回転開始と回転停止、および、回転部１１ａの回転開始と回転停止とが切り替えられる。
【００３８】
制御部９０は、プログラム等において記録された情報に従って、ヒートポンプ装置１３と送風機１１の回転部１１ａとを含む各部材を制御する。圧縮機制御部９１１は、圧縮機７の駆動部１５を制御する。流量制御部９１２が膨張弁９を制御することによって、冷媒配管１４（図１参照）を流通する冷媒の流量が調整される。送風機制御部９３は、送風機１１の回転部１１ａを制御する。また、回転ドラム３のモータ４（いずれも図１参照）の回転と、水槽２（図１参照）に供給される水が通る流路を開閉する給水弁（図示せず）の作動等、ドラム式洗濯乾燥機１００における各部材の作動は、制御部９０の制御に基づいている。
【００３９】
図１に示すように、ドラム式洗濯乾燥機１００は、温度センサ１６を備えている。温度センサ１６は、ヒートポンプ装置１３の冷媒の温度を検出する。温度センサ１６は、圧縮機７の吐出部に配置されている。なお、圧縮機７の吐出部とは、圧縮機７の一部であって、冷媒が圧縮機７に流入する側の部分よりも冷媒が圧縮機７から流出する側に位置する部分のことである。あるいは、圧縮機７の吐出部とは、圧縮機７から流出した冷媒が通る冷媒配管１４の一部であって、冷媒配管１４と圧縮機７との接続部分であってもよい。
【００４０】
検知部９６（図２参照）は、温度センサ１６に電子的または電気的に接続されている。制御部９０において、検知部９６は、温度センサ１６が検出する圧縮機７の吐出部の温度を検知する。検知部９６によって検知される圧縮機７の吐出部の温度が所定の温度以上であることが、判定部９５によって判定される場合には、圧縮機制御部９１１は、駆動部１５の回転を一時的に停止させる。後述するように、その後、吐出部の温度が低下する場合に、圧縮機制御部９１１は、駆動部１５を回転させることによって圧縮機７を再起動させる。駆動部１５の回転の停止または再開の閾値として設定された所定の温度の値は、記憶部９４に格納されている。
【００４１】
ドラム式洗濯乾燥機１００（図１参照）は、洗い行程または濯ぎ行程における水槽２（図１参照）の水位を検知する水位センサ５９（図２参照）を備えている。洗濯物５の布質の違いによって、各洗濯物５が吸収する水量は異なる。一定量の水が水槽２に供給される場合に、回転ドラム３に収容された各洗濯物５の布質に応じて水槽２の水位が異なる。検知部９６は、水位センサ５９によって検知された水位と、水槽２に供給された一定の水量とに基づいて、洗濯物５の容量を検知する。水位センサ５９と検知部９６とは、容量検知部の一例である。
【００４２】
以下においては、図１と図２とを参照して、ドラム式洗濯乾燥機１００の運転について説明する。
【００４３】
まず、使用者は、図示しない扉を開き、回転ドラム３に洗濯物５を投入した後、扉を閉じる。洗濯に使用される洗剤は、洗剤ケース（図示せず）に入れられる。必要であれば、使用者は、洗剤ケースに仕上剤を入れる。使用者は、洗い行程または濯ぎ行程の途中で仕上剤を入れてもよい。
【００４４】
次に、使用者は、外箱１に設置された操作部（図示せず）を操作して、洗濯の条件と乾燥の条件とを選択する。使用者による操作部の操作に基づき、操作部が制御部９０（図２参照）に制御信号を送信し、これにより制御部９０がドラム式洗濯乾燥機１００の各部材を制御する。使用者が選択した洗濯の条件と乾燥の条件とに従って、例えば、洗い行程、濯ぎ行程、脱水行程が順に行われる。洗剤ケースと操作部（いずれも図示せず）とは、外箱１の内側に設置されている。
【００４５】
なお、ドラム式洗濯乾燥機１００には、複数の運転コースが設定されている。ドラム式洗濯乾燥機１００は、運転コースとして、例えば、標準的な時間を掛けて洗い行程および濯ぎ行程が実行されるコースと、時間を短縮して洗い行程および濯ぎ行程が実行されるコースと、毛布等の重量物に対して比較的長い時間掛けて洗い行程および濯ぎ行程が実行されるコースとを有している。使用者は、操作部を操作することによって、これらの運転コースを選択することができる。
【００４６】
まず、洗い行程について説明する。使用者が操作部のスタートボタンを押すことにより、制御部９０によって、扉と給水弁（いずれも図示せず）とが制御される。これにより、扉がロックされるとともに、給水弁が開かれることによって水道水が水槽２に供給される。このとき、水槽２には、洗剤ケースに収容されていた洗剤が混じった水が供給される。
【００４７】
水槽２に給水された後には、回転ドラム３がモータ４によって洗い行程用の回転チャートに従って回転する。ドラム式洗濯乾燥機１００においては、回転ドラム３は、例えば５０ｒｐｍ程度で回転する。なお、回転ドラム３の回転チャートについては、洗い行程と濯ぎ行程と脱水行程との行程ごとに、または、洗濯物５の種類もしくは運転コースに応じて、回転速度と回転周期と反転周期等が異なる複数の回転チャートが予め設定されている。回転チャートは、使用者によって選択されるように、または、自動的に選択されるようにプログラムされている。
【００４８】
後述するように、制御部９０は、洗い行程において、圧縮機７の作動と送風機１１の作動とを開始し、乾燥行程における回転数よりも低い回転数で送風機１１の回転部１１ａを回転させ、且つ、乾燥行程における回転数よりも低い回転数で圧縮機７の駆動部１５を回転させる。なお、駆動部１５の回転チャートと回転部１１ａの回転チャートとについても、プログラムにおいて予め設定されている。
【００４９】
プログラムに従って洗い行程におけるモータ４の回転が終了する場合には、水槽２に残った水が排水部（図示しない）を通って外箱１の外に排出される。排水が終了した後には、中間脱水行程が行なわれる。この行程において、回転ドラム３は、中間脱水行程用の回転チャートに従って高速度で回転する。中間脱水行程においては、回転ドラム３の回転による遠心力によって、洗濯物５に含まれた水が小孔（図示せず）を通じて回転ドラム３から水槽２に吐出される。水槽２に吐出された水は、水槽２の内壁面を伝って下方に流れた後に、排水部を通って外箱１の外に排出される。
【００５０】
中間脱水行程が終了する場合は、プログラムは中間脱水行程から濯ぎ行程に移行する。濯ぎ行程にプログラムが移行した際には、給水弁が開放されることによって、水道水が水槽２に供給される。図示しない水位センサによって、水槽２に所定の水位まで給水されたことが検知される場合に、給水弁が閉じられる。制御部９０は、給水弁が閉じられた後に、循環ポンプ（図示せず）が所定の時間駆動するように、循環ポンプを制御する。循環ポンプの作動によって、水槽２と循環ポンプとを連結するダクトを通じて、水槽２とダクトとを水が循環する。所定の時間が経過する場合に、制御部９０は循環ポンプの駆動を停止させる。その後、濯ぎ行程用の回転チャートに従って、回転ドラム３が回転する。なお、回転ドラム３が回転するときにも、循環ポンプが駆動していてもよい。
【００５１】
中間脱水行程および濯ぎ行程が複数回繰り返された後には、濯ぎ行程から最終の濯ぎ行程にプログラムが移行する。最終の濯ぎ行程にプログラムが移行した際には、給水弁が開放されることによって、柔軟仕上剤を含んだ水が水槽２に供給される。
【００５２】
所定の回数の濯ぎ行程が行われた後には、脱水行程にプログラムが移行する。最終のすすぎ行程が終了する場合は、濯ぎに用いられた水が水槽２から外箱１の外に排出される。排水が終了した後には、最終脱水行程用の回転チャートに従って、例えば１０００ｒｐｍの高速度で回転ドラム３が回転するように、最終脱水行程が行なわれる。最終脱水行程においては、中間脱水行程と同様に、洗濯物５に含まれた水分は、回転ドラム３の回転による遠心力によって小孔（図示せず）を通じて水槽２に吐出される。脱水行程を開始してから所定の時間が経過した後に、制御部９０は、モータ４への通電を断ち、続いて停止処理を行う。
【００５３】
以下においては、ドラム式洗濯乾燥機１００の乾燥行程のうち、洗濯物５を乾燥させるために、乾燥室３２に供給される空気を加熱する各部材の作動について説明する。
【００５４】
プログラムは、脱水行程が終了した場合に、脱水行程から乾燥行程に移行する。乾燥行程にプログラムが移行した際にも、制御部９０は、モータ４を駆動させることによって回転ドラム３を回転させる。乾燥室３２に供給される空気を加熱するために、制御部９０は、圧縮機７の駆動部１５を駆動させることによって、冷媒を高圧化且つ高温化させる。冷媒と熱交換することによって加熱された空気が乾燥室３２に供給されるように、制御部９０は、送風機１１の回転部１１ａを回転させる。
【００５５】
上述のように、制御部９０は、第１の制御として、洗い行程において、圧縮機７の作動と送風機１１の作動とを開始し、乾燥行程における回転数よりも低い回転数で送風機１１の回転部１１ａを回転させ、且つ、乾燥行程における回転数よりも低い回転数で圧縮機７の駆動部１５を回転させている。
【００５６】
図３に示す回転数Ｒｂは、洗い行程から乾燥行程に移行する前における駆動部１５の回転数または回転部１１ａの回転数である。一方、図３に示す回転数Ｒａは、乾燥行程における駆動部１５の回転数または回転部１１ａの回転数である。
【００５７】
乾燥行程における駆動部１５の回転数Ｒａは、例えば５０００ｒｐｍである。また、乾燥行程における回転部１１ａの回転数Ｒａは、例えば４６００ｒｐｍである。一方、洗い行程から乾燥行程に移行する前における駆動部１５の回転数Ｒｂは、例えば４０００ｒｐｍである。洗い行程から乾燥行程に移行する前における回転部１１ａの回転数Ｒｂは、例えば１４００ｒｐｍである。これらの回転数Ｒａ，Ｒｂは、それぞれ、乾燥行程のプログラムと洗い行程から乾燥行程に移行する前までのプログラムとにおいて、予め設定されている。
【００５８】
乾燥行程においては、駆動部１５が５０００ｒｐｍで回転し、且つ、回転部１１ａが４６００ｒｐｍで回転することによって、ヒートポンプ装置１３の内部の凝縮器８を通過する空気が加熱されたうえで、この加熱された空気（乾燥用空気）が乾燥室３２に供給される。乾燥用空気は、送風機１１が発生させる気流により、図１において示す白抜きの矢印のようにダクト１８を流れる。なお、白抜きの矢印は、気流が流れる方向を概略的に示すものであり、気流の速度または規模を示すものではない。
【００５９】
送風機１１が発生させた気流により、乾燥室３２に流入した空気は、乾燥室３２において撹拌される洗濯物５から水分を得て、ヒートポンプ装置１３へ向かって排気ダクト６を流通する。排気ダクト６からヒートポンプ装置１３へ流入した空気は、蒸発器１０を通過する際に露点以下に除湿される。除湿された後の空気は、凝縮器８において加熱されて高温化且つ低湿度化され、乾燥用空気として再び回転ドラム３に流入する。このような空気の流れが繰り返されることにより、洗濯物５の乾燥が進行する。
【００６０】
なお、乾燥行程に移行する前の行程において水槽２に水が収容されている場合でも、送風機１１の回転部１１ａの回転数が低く抑えられているため、ドラム式洗濯乾燥機１００は、水槽２の内部を流通する空気とともに水槽２の水がダクト１８に流入することを防止することができる。
【００６１】
ドラム式洗濯乾燥機１００においては、図４に示すように、乾燥行程よりも前の行程において駆動部１５の回転が停止される場合には、駆動部１５の回転が停止された時点から時間Ｔが経過するまで、駆動部１５の回転が停止される。このように、制御部９０（図２参照）は、乾燥行程よりも前の行程において圧縮機７（図２参照）の作動を停止する場合には、圧縮機７の作動を停止した時点から時間Ｔが経過するときに、圧縮機７の作動を再開する。回転再開のための閾値としての時間Ｔの情報は、記憶部９４（図２参照）に格納されている。また、時間Ｔは、タイマ９２（図２参照）によって計測される。
【００６２】
なお、制御部９０は、上述した第１の制御とは別に、以下の第２の制御と第３の制御とのいずれかの制御を実行することができる。制御部９０は、第１の制御と第２の制御と第３の制御とのうち、いずれか一つの制御を実行する。
【００６３】
第２の制御は、乾燥行程よりも前の行程としての洗い行程において、圧縮機７の作動と送風機１１の作動とを制御部９０が開始させ、且つ、乾燥行程における回転数よりも低い回転数で送風機１１の回転部１１ａを制御部９０が回転させる制御である。第３の制御は、乾燥行程よりも前の行程としての洗い行程において、少なくとも圧縮機７の作動（すなわち、圧縮機７の作動と送風機１１の作動、または、圧縮機７のみの作動）を制御部９０が開始させ、且つ、乾燥行程における回転数よりも低い回転数で圧縮機７の駆動部１５を制御部９０が回転させる制御である。
【００６４】
第２の制御と第３の制御とにおける駆動部１５または回転部１１ａの回転数Ｒｂの数値例は、第１の制御と同様である。乾燥行程に移行する前における駆動部１５の回転数Ｒｂは、例えば４０００ｒｐｍである。乾燥行程に移行する前における回転部１１ａの回転数Ｒｂは、例えば１４００ｒｐｍである。
【００６５】
なお、制御部９０は、第１の制御と第２の制御と第３の制御とのうちのいずれか一つの制御を、濯ぎ行程から開始していてもよい。濯ぎ行程から開始される第１の制御と第２の制御と第３の制御とにおける駆動部１５または回転部１１ａの回転数Ｒｂの数値例は、洗い行程から開始される例と同様である。
【００６６】
また、制御部９０は、検知部９６によって検知される洗濯物５の容量に応じて、第１の制御における圧縮機７の駆動部１５の回転数および送風機１１の回転部１１ａの回転数と、第２の制御における送風機１１の回転部１１ａの回転数と、第３の制御における圧縮機７の駆動部１５の回転数とを変化させる。
【００６７】
表１は、洗濯物５（図１参照）の容量によって分類される各行程における圧縮機７の駆動部１５の回転数または送風機１１の回転部１１ａ（いずれも図１参照）の回転数の例を示す表である。
【００６８】
【表１】
2014054374.tif 000003
【００６９】
表１に示す回転数Ｒｂ１，Ｒｂ２，Ｒｂ３は、それぞれ、洗濯物５の容量に応じて設定された乾燥行程に移行する前の行程における駆動部１５の回転数または回転部１１ａの回転数である。容量が４ｋｇ以上６ｋｇ未満である場合に駆動部１５が例えば４０００ｒｐｍで回転するように、駆動部１５の回転数Ｒｂ１が設定されている。容量が２ｋｇ以上４ｋｇ未満である場合に駆動部１５が例えば３５００ｒｐｍで回転するように、駆動部１５の回転数Ｒｂ２が設定されている。容量が２ｋｇ未満である場合に駆動部１５が例えば３０００ｒｐｍで回転するように、駆動部１５の回転数Ｒｂ３が設定されている。
【００７０】
また、容量が４ｋｇ以上６ｋｇ未満である場合に回転部１１ａが例えば１４００ｒｐｍで回転するように、回転部１１ａの回転数Ｒｂ１が設定されている。容量が２ｋｇ以上４ｋｇ未満である場合に回転部１１ａが例えば１３００ｒｐｍで回転するように、回転部１１ａの回転数Ｒｂ２が設定されている。容量が２ｋｇ未満である場合に回転部１１ａが例えば１２００ｒｐｍで回転するように、駆動部１５の回転数Ｒｂ３が設定されている。
【００７１】
一方、乾燥行程における駆動部１５の回転数Ｒａと回転部１１ａの回転数Ｒａとは、それぞれ、容量に応じて変化せずに一律に設定されている。乾燥行程における駆動部１５の回転数Ｒａと回転部１１ａの回転数Ｒａとは、上述のように、それぞれ、５０００ｒｐｍと４６００ｒｐｍとである。
【００７２】
なお、第３の制御が実行される場合には、乾燥行程よりも前の行程において回転部１１ａは停止していること（すなわち、回転部１１ａの回転数Ｒｂ１，Ｒｂ２，Ｒｂ３は略零（ゼロ）であること）が好ましい。第３の制御が実行される場合に、乾燥行程よりも前の行程における回転部１１ａの回転数Ｒｂ１，Ｒｂ２，Ｒｂ３は、乾燥行程における回転部１１ａの回転数Ｒａと略同一であってもよい。第２の制御が実行される場合には、乾燥行程よりも前の行程における駆動部１５の回転数Ｒｂ１，Ｒｂ２，Ｒｂ３は、乾燥行程における駆動部１５の回転数Ｒａと略同一であることが好ましい。
【００７３】
あるいは、制御部９０は、運転コースに応じて、第１の制御における圧縮機７の駆動部１５の回転数および送風機１１の回転部１１ａの回転数と、第２の制御における送風機１１の回転部１１ａの回転数と、第３の制御における圧縮機７の駆動部１５の回転数とを変化させる。
【００７４】
表２は、ドラム式洗濯乾燥機１００（図１参照）の運転コースによって分類される各行程における圧縮機７の駆動部１５の回転数または送風機１１の回転部１１ａの回転数の例を示す表である。
【００７５】
【表２】
2014054374.tif 000004
【００７６】
表２に示す回転数Ｒｂ４，Ｒｂ５は、それぞれ、運転コースに応じて設定された乾燥行程に移行する前の行程における駆動部１５の回転数または回転部１１ａの回転数である。標準コースが選択されている場合に駆動部１５が例えば４０００ｒｐｍで回転するように、駆動部１５の回転数Ｒｂ４が設定されている。スピードコース（時間短縮のためのコース）が選択されている場合に駆動部１５が例えば４２００ｒｐｍで回転するように、駆動部１５の回転数Ｒｂ５が設定されている。
【００７７】
また、標準コースが選択されている場合に回転部１１ａが例えば１３００ｒｐｍで回転するように、駆動部１５の回転数Ｒｂ４が設定されている。スピードコース（時間短縮のコース）が選択されている場合に回転部１１ａが例えば１４００ｒｐｍで回転するように、回転部１１ａの回転数Ｒｂ５が設定されている。
【００７８】
一方、乾燥行程における駆動部１５の回転数Ｒａと回転部１１ａの回転数Ｒａとは、それぞれ、運転コースに応じて変化せずに一律に設定されている。
【００７９】
なお、第３の制御が実行される場合には、乾燥行程よりも前の行程において回転部１１ａは停止していること（すなわち、回転部１１ａの回転数Ｒｂ４，Ｒｂ５は略零（ゼロ）であること）が好ましい。第３の制御が実行される場合に、乾燥行程よりも前の行程における回転部１１ａの回転数Ｒｂ４，Ｒｂ５は、乾燥行程における回転部１１ａの回転数Ｒａと略同一であってもよい。第２の制御が実行される場合には、乾燥行程よりも前の行程における駆動部１５の回転数Ｒｂ４，Ｒｂ５は、乾燥行程における駆動部１５の回転数Ｒａと略同一であることが好ましい。
【００８０】
以上のように、ドラム式洗濯乾燥機１００は、ヒートポンプ装置１３と、乾燥室３２と、送風機１１と、制御部９０とを備えている。ヒートポンプ装置１３は圧縮機７を含む。圧縮機７は駆動部１５を有している。乾燥室３２は、被乾燥対象物としての洗濯物５を収納する。また、乾燥室３２には、ヒートポンプ装置１３において加熱された空気が供給される。送風機１１は、回転部１１ａを有している。送風機１１は、ヒートポンプ装置１３において加熱された空気を乾燥室３２に送出する。制御部９０は、ヒートポンプ装置１３と、送風機１１の回転部１１ａとを制御する。また、制御部９０は、第１の制御と第２の制御と第３の制御とのうち、いずれか一つの制御を実行する。
【００８１】
第１の制御は、乾燥行程よりも前の行程において、圧縮機７の作動と送風機１１の作動とを制御部９０が開始させ、乾燥行程における回転数Ｒａよりも低い回転数Ｒｂで送風機１１の回転部１１ａを制御部９０が回転させ、且つ、乾燥行程における回転数Ｒａよりも低い回転数Ｒｂで圧縮機７の駆動部１５を回転させる制御である。
【００８２】
第２の制御は、乾燥行程よりも前の行程において、圧縮機７の作動と送風機１１の作動とを制御部９０が開始させ、且つ、乾燥行程における回転数Ｒａよりも低い回転数Ｒｂで送風機１１の回転部１１ａを制御部９０が回転させる制御である。
【００８３】
第３の制御は、乾燥行程よりも前の行程において、少なくとも圧縮機７の作動を制御部９０が開始させ、且つ、乾燥行程における回転数Ｒａよりも低い回転数Ｒｂで圧縮機７の駆動部１５を制御部９０が回転させる制御である。
【００８４】
ドラム式洗濯乾燥機１００においては、乾燥行程よりも前の行程において、圧縮機７の作動と送風機１１の作動とを、または、少なくとも圧縮機７の作動を開始することによって、冷媒を予め温めることができるため、ヒートポンプ装置１３と乾燥室との間等の空気の流路を乾燥行程よりも前の行程から予め温めることができる。そのため、乾燥行程の開始時点から、乾燥用空気の温度を早く上昇させることができる。また、乾燥行程よりも出力が抑えられた第１の制御と第２の制御と第３の制御とのうちのいずれか一つの制御が、乾燥行程よりも前の行程から実行されることによって、乾燥行程よりも前の行程における消費電力量を抑制することができる。
【００８５】
このように、ドラム式洗濯乾燥機１００においては、乾燥用空気の温度を早く上昇させることができるとともに、乾燥行程に移行する前の行程における消費電力量を抑制することができる。
【００８６】
ドラム式洗濯乾燥機１００の行程は、乾燥行程よりも前の行程として、順に洗い行程と濯ぎ行程と脱水行程とを含む。制御部９０は、第１の制御と第２の制御と第３の制御とのうちのいずれか一つの制御を洗い行程から開始する。
【００８７】
この構成によれば、冷媒のプレヒートが洗い行程から開始される。このように、比較的長い時間を掛けて冷媒を温めることによって、ヒートポンプ装置１３と乾燥室３２との間等の空気の流路を十分に温めることができる。
【００８８】
ドラム式洗濯乾燥機１００の行程は、乾燥行程よりも前の行程として、順に洗い行程と濯ぎ行程と脱水行程とを含む。制御部９０は、第１の制御と第２の制御と第３の制御とのうちのいずれか一つの制御を濯ぎ行程から開始する。
【００８９】
この構成によれば、冷媒のプレヒートが濯ぎ行程から開始される。このように、乾燥行程に比較的近い行程から冷媒を温めることによって、消費電力量をより抑制することができる。また、ヒートポンプ装置１３およびダクト１８等に一旦加えられた熱量が、乾燥行程の開始時点までに放出されることを抑制することができる。そのため、消費電力量をさらに抑制することができる。
【００９０】
ドラム式洗濯乾燥機１００において、制御部９０は、乾燥行程よりも前の行程において圧縮機７の作動を停止する場合には、圧縮機７の作動を停止した時点から時間Ｔが経過するときに、圧縮機７の作動を再開する。
【００９１】
この構成によれば、ヒートポンプ装置１３に使用される冷媒のうち、特に熱交換器における冷媒の圧力を平準化することができる。
【００９２】
ドラム式洗濯乾燥機１００において、制御部９０は、乾燥室３２に収容される洗濯物５の容量を検知する検知部９６を有している。また、制御部９０は、第１の制御における圧縮機７の駆動部１５の回転数Ｒｂ１、Ｒｂ２，Ｒｂ３および送風機１１の回転部１１ａの回転数Ｒｂ１、Ｒｂ２，Ｒｂ３と、第２の制御における送風機１１の回転部１１ａの回転数Ｒｂ１、Ｒｂ２，Ｒｂ３と、第３の制御における圧縮機７の駆動部１５の回転数Ｒｂ１、Ｒｂ２，Ｒｂ３とを、検知部９６によって検知される洗濯物５の容量に応じて変化させる。
【００９３】
この構成によれば、洗濯物５の容量に応じて、ヒートポンプ装置１３およびダクト１８等を効率よく温めることができる。
【００９４】
ドラム式洗濯乾燥機１００には、複数の運転コースが設定されている。制御部９０は、第１の制御における圧縮機７の駆動部１５の回転数Ｒｂ４，Ｒｂ５および送風機１１の回転部１１ａの回転数Ｒｂ４，Ｒｂ５と、第２の制御における送風機１１の回転部１１ａの回転数Ｒｂ４，Ｒｂ５と、第３の制御における圧縮機７の駆動部１５の回転数Ｒｂ４，Ｒｂ５とを、運転コースに応じて変化させる。
【００９５】
この構成によれば、運転コースに応じて、ヒートポンプ装置１３およびダクト１８等を効率よく温めることができる。
【００９６】
なお、制御部９０は、図示しない電源回路を介して商用電源に接続されている。また、制御部９０と圧縮機７との間、および、制御部９０と送風機１１との間等、制御部９０と電動式の各部材との間には、図示しないインバータ回路が設けられている。制御部９０が、回路の電流、電圧、またはそれらいずれかのパルス幅を変調させるように回路の構成を制御することにより、駆動部１５の回転数、および、回転部１１ａの回転数が調整することができる。
【００９７】
なお、検知部９６は、例えば、操作部（図示せず）を介して入力された洗濯物５の容量の情報に基づいて、洗濯物５の容量を検知してもよい。なお、ドラム式洗濯乾燥機１００は、回転ドラム３に収容される洗濯物５の重量を検出または測定する重量センサを備えていてもよい。
【００９８】
なお、ドラム式洗濯乾燥機１００において制御部９０が配置される位置は、特に限定されない。図１に示す制御部９０の位置は、概略的に示されるものである。また、制御部９０は、上述のように所望の機能を奏することができるように構成されていればよい。
【００９９】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１００】
２：水槽、３：回転ドラム、５：洗濯物、７：圧縮機、８：凝縮器、９：膨張部、１０：蒸発部、１１：送風機、１１ａ：回転部、１３：ヒートポンプ装置、１５：駆動部、３２：乾燥室、５９：水位センサ、９０：制御部、９６：検知部
【図１】
2014054374.tif 000005
【図２】
2014054374.tif 000006
【図３】
2014054374.tif 000007
【図４】
2014054374.tif 000008